(57)【要約】      （修正有）【課題】利便性の向上を図ったシート加工用カッターを提供する。【解決手段】シート加工用カッターは、本体と、この本体に設けられ、壁又は巾木に当接する当接部材と、前記本体の第１の側面に取り付けられた第１の刃と、前記本体の前記第１の側面と反対側の第３の側面に取り付けられた第２の刃とを備え、前記本体の側面は、平面視、時計回りに、前記第１の側面、第２の側面、前記第３の側面、第４の側面であり、前記当接部材は、前記第２の側面に設けられ、平面視、前記第１の刃先と前記第２の刃先を結ぶラインと前記当接部材の外側のラインとが一致し、前記第１の刃は、平面視、前記第１の側面に沿うと共に、前記第１の刃の先端は、前記第１の側面と前記第２の側面のコーナーより突出し、前記第２の刃は、平面視、前記第３の側面に沿うと共に、前記第２の刃の先端は、前記第３の側面と前記第２の側面のコーナーより突出しているものである。【選択図】図１
2018175128.tif 000002
【特許請求の範囲】
【請求項１】
床に載置されたシートを切断するシート加工用カッターであって、
平面視、時計回りに、第１の側面、第２の側面、第３の側面、第４の側面を有する本体と、
この本体の前記第２の側面に設けられ、壁に巾木がない場合前記壁に、前記壁に巾木がある場合、前記巾木に、切断する前記シートを介して当接する当接部と、
前記本体の前記第１の側面と前記第２の側面を接続するコーナー近傍に取り付けられ、前記シートへ向かって張り出す第１の刃と、
前記本体の前記第２の側面と前記第３の側面を接続するコーナー近傍に取り付けられ、前記シートへ向かって張り出す第２の刃とを備え、
前記当接部は、前記第２の側面に沿うものであり、
前記第２の側面及び前記第４の側面を横断する方向であって、前記第１の側面及び前記第３の側面に平行に切断する方向の側断面視、前記第１の刃の先端は、前記当接部に当接する前記シートと前記本体の底面に当接する前記シートとを接続する前記シートのコーナーの部位を超え、前記壁に巾木がない場合、前記壁及び前記床に接触しない位置にあり、前記壁に巾木がある場合、前記巾木及び前記床に接触しない位置にあり、
前記第２の側面及び前記第４の側面を横断する方向であって、前記第１の側面及び前記第３の側面に平行に切断する方向の側断面視、前記第２の刃の先端は、前記当接部に当接する前記シートと前記本体の底面に当接する前記シートとを接続する前記シートのコーナーの部位を超え、前記壁に巾木がない場合、前記壁及び前記床に接触しない位置にあり、前記壁に巾木がある場合、前記巾木及び前記床に接触しない位置にある
ことを特徴とするシート加工用カッター。
【請求項２】
請求項１記載のシート加工用カッターを備え、
第１の壁と第２の壁を有するコーナーに立ち上がり部１００、２００を有して載置されたシートに前記シート加工用カッターの本体の底面を当接すると共に、前記第１の壁の下方に巾木がない場合、前記第１の壁に切断する前記シートを介して当接部を当接しながら、前記第１の壁の下方に巾木がある場合、前記第１の壁の下方に位置する前記巾木に切断する前記シートを介して前記当接部を当接しながら、
第１の側面が前記第２の壁に、第２の側面が前記第１の壁に、それぞれ対向し、前記コーナーに向かう第１の方向に前記シート加工用カッターの第１の刃を移動させて、前記第１の刃によって、前記シートの前記立ち上がり部１００を切断し、
その後、前記シート加工用カッターの本体の底面を前記シートに当接すると共に、前記第２の壁の下方に巾木がない場合、前記第２の壁に切断する前記シートを介して前記当接部を当接しながら、前記第２の壁の下方に巾木がある場合、前記第２の壁の下方に位置する前記巾木に切断する前記シートを介して前記当接部を当接しながら、
前記第２の側面が前記第２の壁に、第３の側面が前記第１の壁に、それぞれ対向し、前記コーナーに向かう第２の方向に前記シート加工用カッターの第２の刃を移動させて、前記第２の刃によって、前記シートの前記立ち上がり部２００を切断するものであり、
前記第１の方向と前記第２の方向とは、直交する関係にあり、
前記第１の方向は、前記第２の壁に直交すると共に、前記第２の壁に近づく方向であり、
前記第２の方向は、前記第１の壁に直交すると共に、前記第１の壁に近づく方向であ
る
ことを特徴とするシートの加工方法。
【請求項３】
請求項１記載のシート加工用カッターを備え、
第１の壁と第２の壁を有するコーナーに立ち上がり部１００、２００を有して載置されたシートに前記シート加工用カッターの本体の底面を当接すると共に、前記第２の壁の下方に巾木がない場合、前記第２の壁に切断する前記シートを介して当接部を当接しながら、前記第２の壁の下方に巾木がある場合、前記第２の壁の下方に位置する前記巾木に切断する前記シートを介して前記当接部を当接しながら、
第２の側面が前記第２の壁に、第３の側面が前記第１の壁に、それぞれ対向し、前記コーナーに向かう第２の方向に前記シート加工用カッターの第２の刃を移動させて、前記第２の刃によって、前記シートの前記立ち上がり部２００を切断し、
その後、前記シート加工用カッターの本体の底面を前記シートに当接すると共に、前記第１の壁の下方に巾木がない場合、前記第１の壁に切断する前記シートを介して前記当接部を当接しながら、前記第１の壁の下方に巾木がある場合、前記第１の壁の下方に位置する前記巾木に切断する前記シートを介して前記当接部を当接しながら、
第１の側面が前記第２の壁に、前記第２の側面が前記第１の壁に、それぞれ対向し、前記コーナーに向かう第１の方向に前記シート加工用カッターの第１の刃を移動させて、前記第１の刃によって、前記シートの前記立ち上がり部１００を切断するものであり、
前記第１の方向と前記第２の方向とは、直交する関係にあり、
前記第１の方向は、前記第２の壁に直交すると共に、前記第２の壁に近づく方向であり、
前記第２の方向は、前記第１の壁に直交すると共に、前記第１の壁に近づく方向であ
る
ことを特徴とするシートの加工方法。
【請求項４】
床に載置されたシートを切断するシート加工用カッターであって、
平面視、時計回りに、第１の側面、第２の側面、第３の側面、第４の側面を有する本体と、
前記第１の側面に設けられ、壁に巾木がない場合前記壁に、前記壁に巾木がある場合、前記巾木に、切断する前記シートを介して当接する第１の当接部と、
前記第３の側面に設けられ、壁に巾木がない場合前記壁に、前記壁に巾木がある場合、前記巾木に、切断する前記シートを介して当接する第２の当接部と、
前記本体の前記第１の側面と前記第２の側面を接続するコーナー近傍に取り付けられ、前記シートへ向かって張り出す第１の刃と、
前記本体の前記第２の側面と前記第３の側面を接続するコーナー近傍に取り付けられ、前記シートへ向かって張り出す第２の刃とを備え、
前記第１の当接部は、前記第１の側面に沿うように前記本体に設けられ、
前記第２の当接部は、前記第３の側面に沿うように前記本体に設けられ、
前記第１の側面及び前記第３の側面を横断する方向であって、前記第２の側面及び前記第４の側面に平行に切断する方向の側断面視、前記第１の刃の先端は、前記第１の当接部に当接する前記シートと前記本体の底面に当接する前記シートとを接続する前記シートのコーナーの部位を超え、前記壁に巾木がない場合、前記壁及び前記床に接触しない位置にあり、前記壁に巾木がある場合、前記巾木及び前記床に接触しない位置にあり、
前記第１の側面及び前記第３の側面を横断する方向であって、前記第２の側面及び前記第４の側面に平行に切断する方向の側断面視、前記第２の刃の先端は、前記第２の当接部に当接する前記シートと前記本体の底面に当接する前記シートとを接続する前記シートのコーナーの部位を超え、前記壁に巾木がない場合、前記壁及び前記床に接触しない位置にあり、前記壁に巾木がある場合、前記巾木及び前記床に接触しない位置にある
ことを特徴とするシート加工用カッター。
【請求項５】
請求項４記載のシート加工用カッターを備え、
第１の壁と第２の壁を有するコーナーに立ち上がり部１００、２００を有して載置されたシートに前記シート加工用カッターの本体の底面を当接すると共に、前記第１の壁の下方に巾木がない場合、前記第１の壁に切断する前記シートを介して第２の当接部を当接しながら、前記第１の壁の下方に巾木がある場合、前記第１の壁の下方に位置する前記巾木に切断する前記シートを介して前記第２の当接部を当接しながら、
第２の側面が前記第２の壁に、第３の側面が前記第１の壁に、それぞれ対向し、前記コーナーに向かう第１の方向に前記シート加工用カッターの第２の刃を移動させて、前記第２の刃によって、シートの立ち上がり部１００を切断し、
その後、前記シート加工用カッターの本体の底面を前記シートに当接すると共に、前記第２の壁の下方に巾木がない場合、前記第２の壁に切断する前記シートを介して第１の当接部を当接しながら、前記第２の壁の下方に巾木がある場合、前記第２の壁の下方に位置する前記巾木に切断する前記シートを介して前記第１の当接部を当接しながら、
前記第２の側面が前記第１の壁に、前記第１の側面が前記第２の壁に、それぞれ対向し、前記コーナーに向かう第２の方向に前記シート加工用カッターの第１の刃を移動させて、前記第１の刃によって、前記シートの立ち上がり部２００を切断するものであり、
前記第１の方向と前記第２の方向とは、直交する関係にあり、
前記第１の方向は、前記第２の壁に直交すると共に、前記第２の壁に近づく方向であり、
前記第２の方向は、前記第１の壁に直交すると共に、前記第１の壁に近づく方向であ
る
ことを特徴とするシートの加工方法。
【請求項６】
請求項４記載のシート加工用カッターを備え、
第１の壁と第２の壁を有するコーナーに立ち上がり部１００、２００を有して載置されたシートに前記シート加工用カッターの本体の底面を当接すると共に、前記第２の壁の下方に巾木がない場合、前記第２の壁に切断する前記シートを介して第１の当接部を当接しながら、前記第２の壁の下方に巾木がある場合、前記第２の壁の下方に位置する前記巾木に切断する前記シートを介して前記第１の当接部を当接しながら、
第２の側面が前記第１の壁に、第１の側面が前記第２の壁に、それぞれ対向し、前記コーナーに向かう第２の方向に前記シート加工用カッターの第１の刃を移動させて、前記第１の刃によって、前記シートの立ち上がり部２００を切断し、
その後、前記シート加工用カッターの本体の底面を前記シートに当接すると共に、前記第１の壁の下方に巾木がない場合、前記第１の壁に切断する前記シートを介して第２の当接部を当接しながら、前記第１の壁の下方に巾木がある場合、前記第１の壁の下方に位置する前記巾木に切断する前記シートを介して前記第２の当接部を当接しながら、
第３の側面が前記第１の壁に、前記第２の側面が前記第２の壁に、それぞれ対向し、前記コーナーに向かう第１の方向に前記シート加工用カッターの第２の刃を移動させて、前記第２の刃によって、シートの立ち上がり部１００を切断するものであり、
前記第１の方向と前記第２の方向とは、直交する関係にあり、
前記第１の方向は、前記第２の壁に直交すると共に、前記第２の壁に近づく方向であり、
前記第２の方向は、前記第１の壁に直交すると共に、前記第１の壁に近づく方向であ
る
ことを特徴とするシートの加工方法。
【発明の詳細な説明】
【技術分野】
【０００１】
本発明は、シート加工用カッター及びシートの加工方法に係り、特に、利便性の向上を図ったシート加工用カッター及びシートの加工方法に関する。
【背景技術】
【０００２】
従来、床材にシートを貼着する際、シートをシートカッターで切断するようにしている。
【発明の概要】
【発明が解決しようとする課題】
【０００３】
が、しかし、従来のシートカッターは、一枚で、シートのコーナーの隅部の処理がシートカッターできず、利便性が良好でないという問題点をあった。
【０００４】
本発明は、上記の問題点を考慮してなされたもので、利便性の向上を図ったシート加工用カッター及びシートの加工方法を提供することを目的とする。
【課題を解決するための手段】
【０００５】
請求項１記載のシート加工用カッターは、床に載置されたシートを切断するシート加工用カッターであって、平面視、時計回りに、第１の側面、第２の側面、第３の側面、第４の側面を有する本体と、この本体の前記第２の側面に設けられ、壁に巾木がない場合前記壁に、前記壁に巾木がある場合、前記巾木に、切断する前記シートを介して当接する当接部と、前記本体の前記第１の側面と前記第２の側面を接続するコーナー近傍に取り付けられ、前記シートへ向かって張り出す第１の刃と、前記本体の前記第２の側面と前記第３の側面を接続するコーナー近傍に取り付けられ、前記シートへ向かって張り出す第２の刃とを備え、前記当接部は、前記第２の側面に沿うものであり、前記第２の側面及び前記第４の側面を横断する方向であって、前記第１の側面及び前記第３の側面に平行に切断する方向の側断面視、前記第１の刃の先端は、前記当接部に当接する前記シートと前記本体の底面に当接する前記シートとを接続する前記シートのコーナーの部位を超え、前記壁に巾木がない場合、前記壁及び前記床に接触しない位置にあり、前記壁に巾木がある場合、前記巾木及び前記床に接触しない位置にあり、前記第２の側面及び前記第４の側面を横断する方向であって、前記第１の側面及び前記第３の側面に平行に切断する方向の側断面視、前記第２の刃の先端は、前記当接部に当接する前記シートと前記本体の底面に当接する前記シートとを接続する前記シートのコーナーの部位を超え、前記壁に巾木がない場合、前記壁及び前記床に接触しない位置にあり、前記壁に巾木がある場合、前記巾木及び前記床に接触しない位置にある。
【０００６】
また、請求項２記載のシートの加工方法は、請求項１記載のシート加工用カッターを備え、第１の壁と第２の壁を有するコーナーに立ち上がり部１００、２００を有して載置されたシートに前記シート加工用カッターの本体の底面を当接すると共に、前記第１の壁の下方に巾木がない場合、前記第１の壁に切断する前記シートを介して当接部を当接しながら、前記第１の壁の下方に巾木がある場合、前記第１の壁の下方に位置する前記巾木に切断する前記シートを介して前記当接部を当接しながら、第１の側面が前記第２の壁に、第２の側面が前記第１の壁に、それぞれ対向し、前記コーナーに向かう第１の方向に前記シート加工用カッターの第１の刃を移動させて、前記第１の刃によって、前記シートの前記立ち上がり部１００を切断し、その後、前記シート加工用カッターの本体の底面を前記シートに当接すると共に、前記第２の壁の下方に巾木がない場合、前記第２の壁に切断する前記シートを介して前記当接部を当接しながら、前記第２の壁の下方に巾木がある場合、前記第２の壁の下方に位置する前記巾木に切断する前記シートを介して前記当接部を当接しながら、前記第２の側面が前記第２の壁に、第３の側面が前記第１の壁に、それぞれ対向し、前記コーナーに向かう第２の方向に前記シート加工用カッターの第２の刃を移動させて、前記第２の刃によって、前記シートの前記立ち上がり部２００を切断するものであり、前記第１の方向と前記第２の方向とは、直交する関係にあり、前記第１の方向は、前記第２の壁に直交すると共に、前記第２の壁に近づく方向であり、前記第２の方向は、前記第１の壁に直交すると共に、前記第１の壁に近づく方向である。
【０００７】
また、請求項３記載のシートの加工方法は、請求項１記載のシート加工用カッターを備え、第１の壁と第２の壁を有するコーナーに立ち上がり部１００、２００を有して載置されたシートに前記シート加工用カッターの本体の底面を当接すると共に、前記第２の壁の下方に巾木がない場合、前記第２の壁に切断する前記シートを介して当接部を当接しながら、前記第２の壁の下方に巾木がある場合、前記第２の壁の下方に位置する前記巾木に切断する前記シートを介して前記当接部を当接しながら、第２の側面が前記第２の壁に、第３の側面が前記第１の壁に、それぞれ対向し、前記コーナーに向かう第２の方向に前記シート加工用カッターの第２の刃を移動させて、前記第２の刃によって、前記シートの前記立ち上がり部２００を切断し、その後、前記シート加工用カッターの本体の底面を前記シートに当接すると共に、前記第１の壁の下方に巾木がない場合、前記第１の壁に切断する前記シートを介して前記当接部を当接しながら、前記第１の壁の下方に巾木がある場合、前記第１の壁の下方に位置する前記巾木に切断する前記シートを介して前記当接部を当接しながら、第１の側面が前記第２の壁に、前記第２の側面が前記第１の壁に、それぞれ対向し、前記コーナーに向かう第１の方向に前記シート加工用カッターの第１の刃を移動させて、前記第１の刃によって、前記シートの前記立ち上がり部１００を切断するものであり、前記第１の方向と前記第２の方向とは、直交する関係にあり、前記第１の方向は、前記第２の壁に直交すると共に、前記第２の壁に近づく方向であり、前記第２の方向は、前記第１の壁に直交すると共に、前記第１の壁に近づく方向である。
【０００８】
また、請求項４記載のシート加工用カッターは、床に載置されたシートを切断するシート加工用カッターであって、平面視、時計回りに、第１の側面、第２の側面、第３の側面、第４の側面を有する本体と、前記第１の側面に設けられ、壁に巾木がない場合前記壁に、前記壁に巾木がある場合、前記巾木に、切断する前記シートを介して当接する第１の当接部と、前記第３の側面に設けられ、壁に巾木がない場合前記壁に、前記壁に巾木がある場合、前記巾木に、切断する前記シートを介して当接する第２の当接部と、前記本体の前記第１の側面と前記第２の側面を接続するコーナー近傍に取り付けられ、前記シートへ向かって張り出す第１の刃と、前記本体の前記第２の側面と前記第３の側面を接続するコーナー近傍に取り付けられ、前記シートへ向かって張り出す第２の刃とを備え、前記第１の当接部は、前記第１の側面に沿うように前記本体に設けられ、前記第２の当接部は、前記第３の側面に沿うように前記本体に設けられ、前記第１の側面及び前記第３の側面を横断する方向であって、前記第２の側面及び前記第４の側面に平行に切断する方向の側断面視、前記第１の刃の先端は、前記第１の当接部に当接する前記シートと前記本体の底面に当接する前記シートとを接続する前記シートのコーナーの部位を超え、前記壁に巾木がない場合、前記壁及び前記床に接触しない位置にあり、前記壁に巾木がある場合、前記巾木及び前記床に接触しない位置にあり、前記第１の側面及び前記第３の側面を横断する方向であって、前記第２の側面及び前記第４の側面に平行に切断する方向の側断面視、前記第２の刃の先端は、前記第２の当接部に当接する前記シートと前記本体の底面に当接する前記シートとを接続する前記シートのコーナーの部位を超え、前記壁に巾木がない場合、前記壁及び前記床に接触しない位置にあり、前記壁に巾木がある場合、前記巾木及び前記床に接触しない位置にある。
【０００９】
また、請求項５記載のシートの加工方法は、請求項４記載のシート加工用カッターを備え、第１の壁と第２の壁を有するコーナーに立ち上がり部１００、２００を有して載置されたシートに前記シート加工用カッターの本体の底面を当接すると共に、前記第１の壁の下方に巾木がない場合、前記第１の壁に切断する前記シートを介して第２の当接部を当接しながら、前記第１の壁の下方に巾木がある場合、前記第１の壁の下方に位置する前記巾木に切断する前記シートを介して前記第２の当接部を当接しながら、第２の側面が前記第２の壁に、第３の側面が前記第１の壁に、それぞれ対向し、前記コーナーに向かう第１の方向に前記シート加工用カッターの第２の刃を移動させて、前記第２の刃によって、シートの立ち上がり部１００を切断し、その後、前記シート加工用カッターの本体の底面を前記シートに当接すると共に、前記第２の壁の下方に巾木がない場合、前記第２の壁に切断する前記シートを介して第１の当接部を当接しながら、前記第２の壁の下方に巾木がある場合、前記第２の壁の下方に位置する前記巾木に切断する前記シートを介して前記第１の当接部を当接しながら、前記第２の側面が前記第１の壁に、前記第１の側面が前記第２の壁に、それぞれ対向し、前記コーナーに向かう第２の方向に前記シート加工用カッターの第１の刃を移動させて、前記第１の刃によって、前記シートの立ち上がり部２００を切断するものであり、前記第１の方向と前記第２の方向とは、直交する関係にあり、前記第１の方向は、前記第２の壁に直交すると共に、前記第２の壁に近づく方向であり、前記第２の方向は、前記第１の壁に直交すると共に、前記第１の壁に近づく方向である。
【００１０】
また、請求項６記載のシートの加工方法は、請求項４記載のシート加工用カッターを備え、第１の壁と第２の壁を有するコーナーに立ち上がり部１００、２００を有して載置されたシートに前記シート加工用カッターの本体の底面を当接すると共に、前記第２の壁の下方に巾木がない場合、前記第２の壁に切断する前記シートを介して第１の当接部を当接しながら、前記第２の壁の下方に巾木がある場合、前記第２の壁の下方に位置する前記巾木に切断する前記シートを介して前記第１の当接部を当接しながら、第２の側面が前記第１の壁に、第１の側面が前記第２の壁に、それぞれ対向し、前記コーナーに向かう第２の方向に前記シート加工用カッターの第１の刃を移動させて、前記第１の刃によって、前記シートの立ち上がり部２００を切断し、その後、前記シート加工用カッターの本体の底面を前記シートに当接すると共に、前記第１の壁の下方に巾木がない場合、前記第１の壁に切断する前記シートを介して第２の当接部を当接しながら、前記第１の壁の下方に巾木がある場合、前記第１の壁の下方に位置する前記巾木に切断する前記シートを介して前記第２の当接部を当接しながら、第３の側面が前記第１の壁に、前記第２の側面が前記第２の壁に、それぞれ対向し、前記コーナーに向かう第１の方向に前記シート加工用カッターの第２の刃を移動させて、前記第２の刃によって、シートの立ち上がり部１００を切断するものであり、前記第１の方向と前記第２の方向とは、直交する関係にあり、前記第１の方向は、前記第２の壁に直交すると共に、前記第２の壁に近づく方向であり、前記第２の方向は、前記第１の壁に直交すると共に、前記第１の壁に近づく方向である。
【発明の効果】
【００１１】
請求項１記載のシート加工用カッターによれば、第１の刃は、本体の第１の側面と第２の側面を接続するコーナー近傍に取り付けられ、第１の刃の先端は、当接部に当接するシートと前記本体の底面に当接する前記シートとを接続する前記シートのコーナーの部位を超え、壁（第１の壁Ｗ１）に巾木がない場合、壁（第１の壁Ｗ１）及び床に接触しない位置にあり、壁（第１の壁Ｗ１）に巾木がある場合、前記巾木及び前記床に接触しない位置にあるため、床面のコーナーに立ち上がり部１００、２００を有して載置されたシートに本体の底面を当接すると共に、壁（第１の壁Ｗ１）に巾木がない場合、壁（第１の壁Ｗ１）にシートを介して当接部を当接しながら、壁（第１の壁Ｗ１）に巾木がある場合、前記巾木にシートを介して当接部を当接しながら、前記コーナーの第１の方向（例えば、Ｘ方向）に向かって前記第１の刃によって、シートの立ち上がり部１００を前記コーナーの第１の方向（例えば、Ｘ方向）の隅部の部位まで切断でき、
また、第２の刃は、本体の第２の側面と第３の側面を接続するコーナー近傍に取り付けられ、第２の刃の先端は、前記当接部に当接する前記シートと前記本体の底面に当接する前記シートとを接続する前記シートのコーナーの部位を超え、壁（第２の壁Ｗ２）に巾木がない場合、壁（第２の壁Ｗ２）及び床に接触しない位置にあり、壁（第２の壁Ｗ２）に巾木がある場合、前記巾木及び床に接触しない位置にあるため、床面のコーナーに立ち上がり部２００を有して載置されたシートに本体の底面を当接すると共に、壁（第２の壁Ｗ２）に巾木がない場合、壁（第２の壁Ｗ２）にシートを介して当接部を当接しながら、壁（第２の壁Ｗ２）に巾木がある場合、前記巾木にシートを介して当接部を当接しながら、前記コーナーの第２の方向（例えば、Ｘ方向に直交するＹ方向）に向かって前記第２の刃によって、シートの立ち上がり部２００を前記コーナーの第２の方向（例えば、Ｘ方向に直交するＹ方向）の隅部の部位まで切断でき、シートのコーナーの隅部の処理を容易にすることができる。
【００１２】
また、請求項２記載のシートの加工方法によれば、第１の刃は、本体の第１の側面と第２の側面を接続するコーナー近傍に取り付けられ、第１の刃の先端は、当接部に当接するシートと前記本体の底面に当接する前記シートとを接続する前記シートのコーナーの部位を超え、壁（第１の壁Ｗ１）に巾木がない場合、壁（第１の壁Ｗ１）及び床に接触しない位置にあり、壁（第１の壁Ｗ１）に巾木がある場合、前記巾木及び床に接触しない位置にあるため、床面のコーナーに立ち上がり部１００、２００を有して載置されたシートに本体の底面を当接すると共に、壁（第１の壁Ｗ１）に巾木がない場合、壁（第１の壁Ｗ１）にシートを介して当接部を当接しながら、壁（第１の壁Ｗ１）に巾木がある場合、前記巾木にシートを介して当接部を当接しながら、前記コーナーの第１の方向（例えば、Ｘ方向）に向かって前記第１の刃によって、シートの立ち上がり部１００を前記コーナーの第１の方向（例えば、Ｘ方向）の隅部の部位まで切断でき、
また、第２の刃は、本体の第２の側面と第３の側面を接続するコーナー近傍に取り付けられ、第２の刃の先端は、前記当接部に当接する前記シートと前記本体の底面に当接する前記シートとを接続する前記シートのコーナーの部位を超え、壁（第２の壁Ｗ２）に巾木がない場合、壁（第２の壁Ｗ２）及び床に接触しない位置にあり、壁（第２の壁Ｗ２）に巾木がある場合、前記巾木及び床に接触しない位置にあるため、床面のコーナーに立ち上がり部２００を有して載置されたシートに本体の底面を当接すると共に、壁（第２の壁Ｗ２）に巾木がない場合、壁（第２の壁Ｗ２）にシートを介して当接部を当接しながら、壁（第２の壁Ｗ２）に巾木がある場合、前記巾木にシートを介して当接部を当接しながら、前記コーナーの第２の方向（例えば、Ｘ方向に直交するＹ方向）に向かって前記第２の刃によって、シートの立ち上がり部２００を前記コーナーの第２の方向（例えば、Ｘ方向に直交するＹ方向）の隅部の部位まで切断でき、
シートのコーナーの隅部の処理を容易にすることができる。
【００１３】
また、請求項３記載のシートの加工方法によれば、第１の刃は、本体の第１の側面と第２の側面を接続するコーナー近傍に取り付けられ、第１の刃の先端は、当接部に当接するシートと前記本体の底面に当接する前記シートとを接続する前記シートのコーナーの部位を超え、壁（第１の壁Ｗ１）に巾木がない場合、壁（第１の壁Ｗ１）及び床に接触しない位置にあり、壁（第１の壁Ｗ１）に巾木がある場合、前記巾木及び床に接触しない位置にあるため、床面のコーナーに立ち上がり部１００、２００を有して載置されたシートに本体の底面を当接すると共に、壁（第１の壁Ｗ１）に巾木がない場合、壁（第１の壁Ｗ１）にシートを介して当接部を当接しながら、壁（第１の壁Ｗ１）に巾木がある場合、前記巾木にシートを介して当接部を当接しながら、前記コーナーの第１の方向（例えば、Ｘ方向）に向かって前記第１の刃によって、シートの立ち上がり部１００を前記コーナーの第１の方向（例えば、Ｘ方向）の隅部の部位まで切断でき、
また、第２の刃は、本体の第２の側面と第３の側面を接続するコーナー近傍に取り付けられ、第２の刃の先端は、前記当接部に当接する前記シートと前記本体の底面に当接する前記シートとを接続する前記シートのコーナーの部位を超え、壁（第２の壁Ｗ２）に巾木がない場合、壁（第２の壁Ｗ２）及び床に接触しない位置にあり、壁（第２の壁Ｗ２）に巾木がある場合、前記巾木及び床に接触しない位置にあるため、床面のコーナーに立ち上がり部２００を有して載置されたシートに本体の底面を当接すると共に、壁（第２の壁Ｗ２）に巾木がない場合、壁（第２の壁Ｗ２）にシートを介して当接部を当接しながら、壁（第２の壁Ｗ２）に巾木がある場合、前記巾木にシートを介して当接部を当接しながら、前記コーナーの第２の方向（例えば、Ｘ方向に直交するＹ方向）に向かって前記第２の刃によって、シートの立ち上がり部２００を前記コーナーの第２の方向（例えば、Ｘ方向に直交するＹ方向）の隅部の部位まで切断でき、
シートのコーナーの隅部の処理を容易にすることができる。
【００１４】
また、請求項４記載のシート加工用カッターによれば、第１の刃は、本体の第１の側面と第２の側面を接続するコーナー近傍に取り付けられ、第１の刃の先端は、第１の当接部に当接するシートと前記本体の底面に当接する前記シートとを接続する前記シートのコーナーの部位を超え、壁（第２の壁Ｗ２）に巾木がない場合、壁（第２の壁Ｗ２）及び床に接触しない位置にあり、壁（第２の壁Ｗ２）に巾木がある場合、前記巾木及び床に接触しない位置にあるため、床面のコーナーに立ち上がり部２００を有して載置されたシートに本体の底面を当接すると共に、壁（第２の壁Ｗ２）に巾木がない場合、前記床面の壁にシートを介して第１の当接部を当接しながら、壁（第２の壁Ｗ２）に巾木がある場合、前記巾木にシートを介して第１の当接部を当接しながら、前記コーナーの第２の方向（例えば、Ｙ方向）に向かって前記第１の刃によって、シートの前記立ち上がり部２００を前記コーナーの第２の方向（例えば、Ｙ方向）の隅部の部位まで切断でき、
また、第２の刃は、本体の第２の側面と第３の側面を接続するコーナー近傍に取り付けられ、第２の刃の先端は、前記第２の当接部に当接する前記シートと前記本体の底面に当接する前記シートとを接続する前記シートのコーナーの部位を超え、壁（第１の壁Ｗ１）に巾木がない場合、壁（第１の壁Ｗ１）及び床に接触しない位置にあり、壁（第１の壁Ｗ１）に巾木がある場合、前記巾木及び床に接触しない位置にあるため、床面のコーナーに立ち上がり部１００を有して載置されたシートに本体の底面を当接すると共に、壁（第１の壁Ｗ１）に巾木がない場合、前記床面の壁（第１の壁Ｗ１）にシートを介して第２の当接部を当接しながら、壁（第１の壁Ｗ１）に巾木がある場合、前記巾木にシートを介して第２の当接部を当接しながら、前記コーナーの第１の方向（例えば、Ｙ方向に直交するＸ方向）に向かって前記第２の刃によって、シートの前記立ち上がり部１００を前記コーナーの第１の方向（例えば、Ｙ方向に直交するＸ方向）の隅部の部位まで切断でき、
シートのコーナーの隅部の処理を容易にすることができる。
【００１５】
また、請求項５記載のシートの加工方法によれば、第１の刃は、本体の第１の側面と第２の側面を接続するコーナー近傍に取り付けられ、第１の刃の先端は、第１の当接部に当接するシートと前記本体の底面に当接する前記シートとを接続する前記シートのコーナーの部位を超え、壁（第２の壁Ｗ２）に巾木がない場合、壁（第２の壁Ｗ２）及び床に接触しない位置にあり、壁（第２の壁Ｗ２）に巾木がある場合、前記巾木及び床に接触しない位置にあるため、床面のコーナーに立ち上がり部２００を有して載置されたシートに本体の底面を当接すると共に、壁（第２の壁Ｗ２）に巾木がない場合、前記床面の壁にシートを介して第１の当接部を当接しながら、壁（第２の壁Ｗ２）に巾木がある場合、前記巾木にシートを介して第１の当接部を当接しながら、前記コーナーの第２の方向（例えば、Ｙ方向）に向かって前記第１の刃によって、シートの前記立ち上がり部２００を前記コーナーの第２の方向（例えば、Ｙ方向）の隅部の部位まで切断でき、
また、第２の刃は、本体の第２の側面と第３の側面を接続するコーナー近傍に取り付けられ、第２の刃の先端は、前記第２の当接部に当接する前記シートと前記本体の底面に当接する前記シートとを接続する前記シートのコーナーの部位を超え、壁（第１の壁Ｗ１）に巾木がない場合、壁（第１の壁Ｗ１）及び床に接触しない位置にあり、壁（第１の壁Ｗ１）に巾木がある場合、前記巾木及び床に接触しない位置にあるため、床面のコーナーに立ち上がり部１００を有して載置されたシートに本体の底面を当接すると共に、壁（第１の壁Ｗ１）に巾木がない場合、前記床面の壁にシートを介して第２の当接部を当接しながら、壁（第１の壁Ｗ１）に巾木がある場合、前記巾木にシートを介して第２の当接部を当接しながら、前記コーナーの第１の方向（例えば、Ｙ方向に直交するＸ方向）に向かって前記第２の刃によって、シートの前記立ち上がり部１００を前記コーナーの第１の方向（例えば、Ｙ方向に直交するＸ方向）の隅部の部位まで切断でき、
シートのコーナーの隅部の処理を容易にすることができる。
【００１６】
また、請求項６記載のシートの加工方法によれば、第１の刃は、本体の第１の側面と第２の側面を接続するコーナー近傍に取り付けられ、第１の刃の先端は、第１の当接部に当接するシートと前記本体の底面に当接する前記シートとを接続する前記シートのコーナーの部位を超え、壁（第２の壁Ｗ２）に巾木がない場合、壁（第２の壁Ｗ２）及び床に接触しない位置にあり、壁（第２の壁Ｗ２）に巾木がある場合、前記巾木及び床に接触しない位置にあるため、床面のコーナーに立ち上がり部２００を有して載置されたシートに本体の底面を当接すると共に、壁（第２の壁Ｗ２）に巾木がない場合、前記床面の壁にシートを介して第１の当接部を当接しながら、壁（第２の壁Ｗ２）に巾木がある場合、前記巾木にシートを介して第１の当接部を当接しながら、前記コーナーの第２の方向（例えば、Ｙ方向）に向かって前記第１の刃によって、シートの前記立ち上がり部２００を前記コーナーの第２の方向（例えば、Ｙ方向）の隅部の部位まで切断でき、
また、第２の刃は、本体の第２の側面と第３の側面を接続するコーナー近傍に取り付けられ、第２の刃の先端は、前記第２の当接部に当接する前記シートと前記本体の底面に当接する前記シートとを接続する前記シートのコーナーの部位を超え、壁（第１の壁Ｗ１）に巾木がない場合、壁（第１の壁Ｗ１）及び床に接触しない位置にあり、壁（第１の壁Ｗ１）に巾木がある場合、前記巾木及び床に接触しない位置にあるため、床面のコーナーに立ち上がり部１００を有して載置されたシートに本体の底面を当接すると共に、壁（第１の壁Ｗ１）に巾木がない場合、前記床面の壁にシートを介して第２の当接部を当接しながら、壁（第１の壁Ｗ１）に巾木がある場合、前記巾木にシートを介して第２の当接部を当接しながら、前記コーナーの第１の方向（例えば、Ｙ方向に直交するＸ方向）に向かって前記第２の刃によって、シートの前記立ち上がり部１００を前記コーナーの第１の方向（例えば、Ｙ方向に直交するＸ方向）の隅部の部位まで切断でき、
シートのコーナーの隅部の処理を容易にすることができる。
【図面の簡単な説明】
【００１７】
【図１】図１は、本発明の一実施例のシート加工用カッターの概略的斜視図である。
【図２】図２は、図１のシート加工用カッターの概略的平面図である。
【図３】図３は、図１のシート加工用カッターの概略的正面図である。
【図４】図４は、図３の４−４線による概略的断面図である。
【図５】図５は、図１のシート加工用カッターによるシートの加工方法を示す概略的斜視図である。
【図６】図６（ａ）は、図５の概略的平面図であり、図６（ｂ）は、図６（ａ）の第１の方向に対して直交する第２の方向に切断する状態を示す概略的平面図であり、図６（ｃ）は、シートを切断した状態を示す概略的平面図である。
【図７】図７は、図６（ａ）の第１の刃付近の概略的断面図である。
【図８】図８は、図６（ｂ）の第２の刃付近の概略的断面図である。
【図９】図９は、図１と異なる他の実施例のシート加工用カッターの概略的斜視図である。
【図１０】図１０は、図９のシート加工用カッターの概略的平面図である。
【図１１】図１１は、図９のシート加工用カッターの概略的正面図である。
【図１２】図１２は、図１１の１２−１２線による概略的断面図である。
【図１３】図１３は、図９のシート加工用カッターによるシートの加工方法を示す概略的斜視図である。
【図１４】図１４（ａ）は、図１３の概略的平面図であり、図１４（ｂ）は、図１４（ａ）の第１の方向に対して直交する第２の方向に切断する状態を示す概略的平面図であり、図１４（ｃ）は、シートを切断した状態を示す概略的平面図である。
【図１５】図１５は、図１４（ａ）の第２の刃付近の概略的断面図である。
【図１６】図１６は、図１４（ｂ）の第１の刃付近の概略的断面図である。
【発明を実施するための形態】
【００１８】
本発明の一実施例のシート加工用カッター及びシートの加工方法を図面（図１乃至図８）を参照して説明する。
図１に示すＣは、床に載置されたシートを切断するシート加工用カッターで、シート加工用カッターＣは、手で把持する本体１を有し、例えば、図５に示すように、シートＳを床面の周縁部に沿って切断する際に使用するものである。
【００１９】
本体１は、例えば、底面が略四角形状を有し、本体１の側面は、図２に示すように、平面視、時計回りに、第１の側面１Ａ、第２の側面１Ｂ、第３の側面１Ｃ、第４の側面１Ｄを有するものである。
また、図１に示す１０は壁に巾木がない場合壁に、前記壁に巾木がある場合、前記巾木に、切断する前記シートを介して当接する当接部で、当接部１０は、本体１の第２の側面１Ｂに沿うように設けられ、壁がある場合壁に、前記壁に巾木がある場合、前記壁の下方に位置する前記巾木に切断するシートＳを介して当接するものである。
【００２０】
また、図２に示す１１は、本体１の第１の側面１Ａと第２の側面１Ｂを接続するコーナー近傍に取り付けられ、シートＳへ向かって張り出す第１の刃で、第１の刃１１は、例えば、本体１の第１の側面１Ａ及び第２の側面１Ｂより張り出すように本体１に取り付けられている。
図２に示す１２は、本体１の第２の側面１Ｂと第３の側面１Ｃを接続するコーナー近傍に取り付けられ、シートＳへ向かって張り出す第２の刃で、第２の刃１２は、例えば、本体１の第２の側面１Ｂ及び第３の側面１Ｃより張り出すように本体１に取り付けられている。
なお、張り出す量は、切断するシートＳの厚みによって、適宜調整される。例えば、図２に示すように、平面視、第１の刃１１の先端１１Ｘと第２の刃１２の先端１２Ｘを結ぶラインＬが当接部材１０とが略一致している。
また、第１の刃１１は、第３の側面１Ｃより第１の側面１Ａに近い側に位置、つまり、第１の刃１１の先端１１Ｘは、第１の側面１Ａと第２の側面１Ｂのコーナーより突出している。
【００２１】
また、第２の刃１２は、第１の側面１Ａより第３の側面１Ｃに近い側に位置、つまり、第２の刃１２の先端１２Ｘは、第３の側面１Ｃと第２の側面１Ｄのコーナーより突出している。
そして、図７に示すように、第２の側面１Ｂ及び第４の側面１Ｄを横断する方向であって、第１の側面１Ａ及び第３の側面１Ｃに平行に切断する方向の側断面視、第１の刃１１の先端１１Ｘは、当接部１０に当接するシートＳと本体１の底面に当接するシートＳとを接続するシートＳのコーナーの部位ＳＲＲを超え、壁（第１の壁）Ｗ１に巾木がない場合、壁（第１の壁）Ｗ１及び床（Ｈは、床の表面である。）に接触しない位置にあり、壁（第１の壁）Ｗ１に巾木（図示せず）がある場合、前記巾木（図示せず）及び床（Ｈは、床の表面である。）に接触しない位置にある（第１の刃１１の先端１１Ｘは、当接部１０に当接するシートＳと本体１の底面に当接するシートＳとを接続するシートＳのコーナーの部位ＳＲＲを超え、Ｈより上方で、Ｚより本体１の側にある。）。
また、図８に示すように、第２の側面１Ｂ及び第４の側面１Ｄを横断する方向であって、第１の側面１Ａ及び第３の側面１Ｃに平行に切断する方向の側断面視、第２の刃１２の先端１２Ｘは、当接部１０に当接するシートＳと本体１の底面に当接するシートＳとを接続するシートＳのコーナーの部位ＳＲＬを超え、壁（第２の壁）Ｗ２に巾木がない場合、壁（第２の壁）Ｗ２及び床（Ｈは、床の表面である。）に接触しない位置にあり、壁（第２の壁）Ｗ２に巾木（図示せず）がある場合、前記巾木（図示せず）及び床（Ｈは、床の表面である。）に接触しない位置にある（第２の刃１２の先端１２Ｘは、当接部１０に当接するシートＳと本体１の底面に当接するシートＳとを接続するシートＳのコーナーの部位ＳＲＬを超え、Ｈより上方で、Ｚより本体１の側にある。）。
【００２２】
次に、図５及び図６を参照して、シート加工用カッターＣ（シートの加工方法）を説明する。なお、図５及び図６（ａ）（ｂ）においては、第１の壁、第２の壁は、一部省略して図示しないと共に、説明を分かり易くするために、立ち上がり部１００、２００を寝かせて図示し、図６（ａ）の１００Ｘは切断線、立ち上がり部２００の波線は、立ち上がり部２００の起端部を示している。図６（ｂ）の２００Ｙは切断線を示している。図６（ｃ）のW1は第１の壁、Ｗ２は第２の壁である。
【００２３】
図６（ａ）に示すように、第１の壁（図示せず）と第２の壁（図示せず）を有するコーナーに立ち上がり部１００、２００を有して載置されたシートＳにシート加工用カッターＣの本体１の底面を当接すると共に、第１の壁［第１の壁は、図６（ａ）において、図示しないが、図６（ｃ）における第１の壁Ｗ１である。］の下方に巾木がない場合には第１の壁に、第１の壁の下方に巾木がある場合、第１の壁の下方に位置する巾木（図示せず）に切断するシートＳを介して当接部１０を当接しながら、第２の側面１Ｂが第１の壁に、第１の側面１Ａが第２の壁［第２の壁は、図６（ａ）において、図示しないが、図６（ｃ）における第２の壁面Ｗ２である。］に、それぞれ対向し、前記コーナーに向かう第１の方向Ｘにシート加工用カッターＣの第１の刃１１を移動させて、第１の刃１１によって、シートＳの立ち上がり部１００を切断する［図６（ａ）参照］。図６（ａ）の１００Ｘは切断線である。
【００２４】
その後、図６（ｂ）に示すように、シート加工用カッターＣの本体１の底面をシートＳに当接すると共に、第２の壁［第２の壁は、図６（ｂ）において、図示しないが、図６（ｃ）における第２の壁Ｗ２である。］の下方に巾木がない場合には第２の壁に、第２の壁の下方に巾木がある場合、第２の壁の下方に位置する巾木（図示せず）に切断するシートＳを介して当接部１０を当接しながら、第２の側面１Ｂが第２の壁に、第３の側面１Ｃが第１の壁［第１の壁は、図６（ｂ）において、図示しないが、図６（ｃ）における第１の壁Ｗ１である。］に、それぞれ対向し、前記コーナーに向かう第２の方向Ｙにシート加工用カッターＣの第２の刃１２を移動させて、第２の刃１２によって、シートＳの立ち上がり部２００を切断する［図６（ｂ）参照］。図６（ｂ）の２００Ｙは切断線である。そして、図６（ｃ）は、立ち上がり部１００、２００を切断し、除去されたシートＳを示している。
【００２５】
なお、第１の方向Ｘと第２の方向Ｙとは、直交する関係にある。第１の刃１１は、挟持部材１１ａ、１１ｂにより挟持され、挟持状態は、雄ねじ１１ｃ、１１ｃ、１１ｃにより保持されるようになっている。また、第２の刃１２は、挟持部材１２ａ、１２ｂにより挟持され、挟持状態は、雄ねじ１２ｃ、１２ｃ、１２ｃにより保持されるようになっている。
【００２６】
従って、上述したシート加工用カッターＣ（シートの加工方法）によれば、第１の刃１１は、本体１の第１の側面１Ａと第２の側面１Ｂを接続するコーナー近傍に取り付けられ、第１の刃１１の先端１１Ｘは、当接部１０に当接するシートＳと本体１の底面に当接するシートＳとを接続するシートＳのコーナーの部位ＳＲＲを超え、壁（第１の壁Ｗ１）に巾木がない場合、壁（第１の壁Ｗ１）及び床（Ｈは、床の表面である。）に接触しない位置にあり、壁（第１の壁Ｗ１）に巾木がある場合、前記巾木及び床（Ｈは、床の表面である。）に接触しない位置にあるため（図７に示すように、第１の刃１１の先端１１Ｘは、当接部１０に当接するシートＳと本体１の底面に当接するシートＳとを接続するシートＳのコーナーの部位ＳＲＲを超え、水平線Ｈより上方で、垂直線Ｚより本体１の側にある。）、床面のコーナーに立ち上がり部１００を有して載置されたシートＳに本体１の底面を当接すると共に、壁（第１の壁Ｗ１）に巾木がない場合、前記床面の壁にシートＳを介して当接部１０を当接しながら、壁（第１の壁Ｗ１）に巾木がある場合、前記巾木にシートＳを介して当接部１０を当接しながら、前記コーナーの第１の方向（例えば、Ｘ方向）に向かって第１の刃１１によって、シートＳの立ち上がり部１００を前記コーナーの第１の方向（例えば、Ｘ方向）の隅部の部位まで切断でき、
また、第２の刃１２は、本体１の第２の側面１Ｂと第３の側面１Ｃを接続するコーナー近傍に取り付けられ、第２の刃１２の先端１２Ｘは、当接部１０に当接するシートＳと本体１の底面に当接するシートＳとを接続するシートＳのコーナーの部位ＳＲＬを超え、壁（第２の壁Ｗ２）に巾木がない場合、壁（第２の壁Ｗ２）及び床（Ｈは、床の表面である。）に接触しない位置にあり、壁（第２の壁Ｗ２）に巾木がある場合、前記巾木及び床（Ｈは、床の表面である。）に接触しない位置にあるため（図８に示すように、第２の刃１２の先端１２Ｘは、当接部１０に当接するシートＳと本体１の底面に当接するシートＳとを接続するシートＳのコーナーの部位ＳＲＬを超え、水平線Ｈより上方で、垂直線Ｚより本体１の側にある。）、床面のコーナーに立ち上がり部２００を有して載置されたシートＳに本体１の底面を当接すると共に、壁（第２の壁Ｗ２）に巾木がない場合、前記床面の壁（第２の壁Ｗ２）にシートＳを介して当接部１０を当接しながら、壁（第２の壁Ｗ２）に巾木がある場合、前記巾木にシートＳを介して当接部１０を当接しながら、前記コーナーの第２の方向（例えば、Ｘ方向に直交するＹ方向）に向かって第２の刃１２によって、シートＳの立ち上がり部２００を前記コーナーの第２の方向（例えば、Ｘ方向に直交するＹ方向）の隅部の部位まで切断でき、シートＳのコーナーの隅部の処理を容易にすることができる。
【００２７】
なお、上述の実施例では、立ち上がり部１００を切断［図６（ａ）］した後、立ち上がり部２００を切断［図６（ｂ）］したが、本願発明は、これに限らず、逆に、立ち上がり部２００を切断［図６（ｂ）］した後、立ち上がり部１００を切断［図６（ａ）］するようにしても良い。
即ち、図６（ｂ）に示すように、シート加工用カッターＣの本体１の底面をシートＳに当接すると共に、第２の壁［第２の壁は、図６（ｂ）において、図示しないが、図６（ｃ）における第２の壁Ｗ２である。］の下方に巾木がない場合、前記第２の壁に切断するシートＳを介して当接部１０を当接しながら、前記第２の壁の下方に巾木がある場合、前記第２の壁の下方に位置する前記巾木に切断するシートＳを介して当接部１０を当接しながら、第２の側面１Ｂが前記第２の壁に、第３の側面１Ｃが第１の壁［第１の壁は、図６（ａ）において、図示しないが、図６（ｃ）における第１の壁Ｗ１である。］に、それぞれ対向し、前記コーナーに向かう第２の方向Ｙにシート加工用カッターＣの第２の刃１２を移動させて、第２の刃１２によって、シートＳの立ち上がり部２００を切断する［図６（ｂ）参照］
その後、図６（ａ）に示すように、第１の壁［第１の壁は、図６（ａ）において、図示しないが、図６（ｃ）における第１の壁Ｗ１である。］と第２の壁［第２の壁は、図６（ｂ）において、図示しないが、図６（ｃ）における第２の壁Ｗ２である。］を有するコーナーに立ち上がり部１００を有して載置されたシートＳにシート加工用カッターＣの本体１の底面を当接すると共に、前記第１の壁の下方に巾木がない場合、前記第１の壁に切断するシートＳを介して当接部１０を当接しながら、前記第１の壁の下方に巾木がある場合、前記第１の壁の下方に位置する前記巾木に切断する前記シートを介して当接部１０を当接しながら、第１の側面１Ａが前記第２の壁に、第２の側面１Ｂが前記第１の壁に、それぞれ対向し、前記コーナーに向かう第１の方向Ｘにシート加工用カッターＣの第１の刃１１を移動させて、第１の刃１１によって、シートＳの立ち上がり部１００を切断する。
なお、第１の方向Ｘと第２の方向Ｙとは、直交する関係にあり、第１の方向Ｘは、前記第２の壁に直交すると共に、前記第２の壁に近づく方向であり、第２の方向Ｙは、第１の壁に直交すると共に、前記第１の壁に近づく方向である。
【００２８】
次の実施例シート加工用カッター及びシートの加工方法を図面（図９乃至図１６）を参照して説明する。
【００２９】
本体１は、例えば、底面が略四角形状を有し、本体１の側面は、図９に示すように、平面視、時計回りに、第１の側面１Ａ、第２の側面１Ｂ、第３の側面１Ｃ、第４の側面１Ｄを有するものである。
また、図９に示す１０は第１の側面１Ａに設けられ、壁に巾木がない場合壁に、前記壁に巾木がある場合、前記巾木に、切断する前記シートを介して当接する第１の当接部で、第１の当接部１０は、第１の側面１Ａに沿うように本体１に設けられ、壁（前記壁に巾木がない場合）に切断するシートＳを介して当接するものである。
前記壁に巾木がある場合、前記壁の下方に位置する前記巾木に切断するシートＳを介して当接するものである。
また、図９に示す２０は第３の側面１Ｃに設けられ、壁に巾木がない場合壁に、前記壁に巾木がある場合、前記巾木に、切断する前記シートを介して当接する第２の当接部で、第２の当接部２０は、第３の側面１Ｃに沿うように本体１に設けられ、壁（前記壁に巾木がない場合）に切断するシートＳを介して当接するものである。
前記壁に巾木がある場合、前記壁の下方に位置する前記巾木に切断するシートＳを介して当接するものである。
【００３０】
また、図９に示す１１は、本体１の第１の側面１Ａと第２の側面１Ｂを接続するコーナー近傍に取り付けられ、シートＳへ向かって張り出す第１の刃１１で、第１の刃１１は、例えば、本体１の第１の側面１Ａ及び第２の側面１Ｂより張り出すように本体１に取り付けられている。
図１０に示す１２は、本体１の第２の側面１Ｂと第３の側面１Ｃを接続するコーナー近傍に取り付けられ、シートＳへ向かって張り出す第２の刃で、第２の刃１２は、例えば、第２の側面１Ｂ及び第３の側面１Ｃより張り出すように本体１に取り付けられている。
なお、張り出す量は、切断するシートＳの厚みによって、適宜調整される。例えば、図１０に示すように、平面視、第１の側面１Ａに平行であって第１の刃１１の先端１１Ｘを結ぶラインＬと第１の当接部材１０とが略一致し、また、第３の側面１Ｃに平行であって第２の刃１２の先端１２Ｘを結ぶラインＬ’と第２の当接部材２０とが略一致している。
また、第１の刃１１は、第３の側面１Ｃより第１の側面１Ａに近い側に位置、つまり、第１の刃１１の先端１１Ｘは、第１の側面１Ａと第２の側面１Ｂのコーナーより突出している。
また、第２の刃１２は、第１の側面１Ａより第３の側面１Ｃに近い側に位置、つまり、第２の刃１２の先端１２Ｘは、第３の側面１Ｃと第２の側面１Ｄのコーナーより突出している。
【００３１】
そして、図１５に示すように、第１の側面１Ａ及び第３の側面１Ｃを横断する方向であって、第２の側面１Ｂ及び第４の側面１Ｄに平行に切断する方向の側断面視、第１の刃１１の先端１１Ｘは、第１の当接部１０に当接するシートＳと本体１の底面に当接するシートＳとを接続するシートＳのコーナーの部位ＳＲＬを超え、壁（第２の壁Ｗ２）に巾木がない場合、壁（第２の壁Ｗ２）及び床（Ｈは、床の表面である。）に接触しない位置にあり、前記壁（第２の壁Ｗ２）に巾木がある場合、前記巾木及び床（Ｈは、床の表面である。）に接触しない位置にある（第１の刃１１の先端１１Ｘは、第１の当接部１０に当接するシートＳと本体１の底面に当接するシートＳとを接続するシートＳのコーナーの部位ＳＲＬを超え、Ｈより上方で、Ｚより本体１の側にある。）。
また、図１６に示すように、第１の側面１Ａ及び第３の側面１Ｃを横断する方向であって、第２の側面１Ｂ及び第４の側面１Ｄに平行に切断する方向の側断面視、第２の刃１２の先端１２Ｘは、第２の当接部２０に当接するシートＳと本体１の底面に当接するシートＳとを接続するシートＳのコーナーの部位ＳＲＲを超え、壁（第１の壁Ｗ１）に巾木がない場合、前記壁（第１の壁Ｗ１）及び床（Ｈは、床の表面である。）に接触しない位置にあり、前記壁（第１の壁Ｗ１）に巾木がある場合、前記巾木及び床（Ｈは、床の表面である。）に接触しない位置にある（第２の刃１２の先端１２Ｘは、第２の当接部２０に当接するシートＳと本体１の底面に当接するシートＳとを接続するシートＳのコーナーの部位ＳＲＲを超え、Ｈより上方で、Ｚより本体１の側にある。）。
【００３２】
次に、図１３及び図１４を参照して、シート加工用カッターＣ（シートの加工方法）を説明する。なお、図１３及び図１４（ａ）（ｂ）においては、第１の壁、第２の壁は、一部省略して図示しないと共に、説明を分かり易くするために、立ち上がり部１００、２００を寝かせて図示し、図１４（ａ）の１００Ｘは切断線、立ち上がり部２００の波線は、立ち上がり部２００の起端部を示している。
【００３３】
図１４（ａ）に示すように、第１の壁（図示せず）と第２の壁（図示せず）を有するコーナーに立ち上がり部１００、２００を有して載置されたシートＳにシート加工用カッターＣの本体１の底面を当接すると共に、第１の壁［第１の壁は、図１４（ａ）において、図示しないが、図１４（ｃ）における第１の壁Ｗ１である。］に切断するシートＳを介して第２の当接部２０を当接しながら、第１の壁の下方に巾木がある場合、前記第１の壁の下方に位置する前記巾木に切断するシートＳを介して第２の当接部２０を当接しながら、第２の側面１Ｂが第２の壁（図示せず）に、第３の側面１Ｃが第１の壁に、それぞれ対向し、前記コーナーに向かう第１の方向Ｘにシート加工用カッターＣの第２の刃１２を移動させて、第２の刃１２によって、立ち上がり部１００を有したシートＳを切断する。図１４（ａ）の１００Ｘは切断線である。図１４（ｂ）の２００Ｙは切断線である。
【００３４】
その後、図１４（ｂ）に示すように、第１の壁（図示せず）と第２の壁（図示せず）を有するコーナーに立ち上がり部２００を有して載置されたシートＳにシート加工用カッターＣの本体１の底面を当接すると共に、第２の壁［第２の壁は、図１４（ｂ）において、図示しないが、図１４（ｃ）における第２の壁Ｗ２である。］に切断するシートＳを介して第１の当接部１０を当接しながら、第２の壁の下方に巾木がある場合、前記第２の壁の下方に位置する前記巾木に切断するシートＳを介して第１の当接部１０を当接しながら、第２の側面１Ｂが第１の壁に、第１の側面１Ａが第２の壁に、それぞれ対向し、前記コーナーに向かう第２の方向Ｙにシート加工用カッターＣの第１の刃１１を移動させて、第１の刃１１によって、シートＳの立ち上がり部２００を有したを切断する。図１４（ｂ）の２００Ｙは切断線である。そして、図１４（ｃ）は、立ち上がり部１００、２００を切断し、除去されたシートＳを示し、Ｗ１は第１の壁、Ｗ２は第２の壁を示している。
【００３５】
なお、第１の方向Ｘと第２の方向Ｙとは、直交する関係にある。第１の刃１１は、挟持部材１１ａ、１１ｂにより挟持され、挟持状態は、雄ねじ１１ｃ、１１ｃ、１１ｃにより保持されるようになっている。また、第２の刃１２は、挟持部材１２ａ、１２ｂにより挟持され、挟持状態は、雄ねじ１２ｃ、１２ｃ、１２ｃにより保持されるようになっている。
【００３６】
従って、上述したシート加工用カッターＣ（シートの加工方法）によれば、第１の刃１１は、本体１の第１の側面１Ａと第２の側面１Ｂを接続するコーナー近傍に取り付けられ、第１の刃１１の先端１１Ｘは、第１の当接部１０に当接するシートＳと本体１の底面に当接するシートＳとを接続するシートＳのコーナーの部位ＳＲＬを超え、壁（第２の壁Ｗ２）に巾木がない場合、壁（第２の壁Ｗ２）及び床（Ｈは、床の表面である。）に接触しない位置にあり、壁（第２の壁Ｗ２）に巾木がある場合、前記巾木及び床（Ｈは、床の表面である。）に接触しない位置にあるため（図１５に示すように、第１の刃１１の先端１１Ｘは、第１の当接部１０に当接するシートＳと本体１の底面に当接するシートＳとを接続するシートＳのコーナーの部位ＳＲＬを超え、水平線Ｈより上方で、垂直線Ｚより本体１の側にある。）、床面のコーナーに立ち上がり部２００を有して載置されたシートＳに本体１の底面を当接すると共に、壁（第２の壁Ｗ２）に巾木がない場合、前記床面のシートＳを介して第１の当接部１０を当接しながら、壁（第２の壁Ｗ２）に巾木がある場合、前記巾木にシートＳを介して第１の当接部１０を当接しながら、前記コーナーの第２の方向（例えば、Ｙ方向）に向かって第１の刃１１によって、シートＳの立ち上がり部２００を前記コーナーの第２の方向（例えば、Ｙ方向）の隅部の部位まで切断でき、
また、第２の刃１２は、本体１の第２の側面１Ｂと第３の側面１Ｃを接続するコーナー近傍に取り付けられ、第２の刃１２の先端１２Ｘは、第２の当接部２０に当接するシートＳと本体１の底面に当接するシートＳとを接続するシートＳのコーナーの部位ＳＲＲを超え、壁（第１の壁Ｗ１）に巾木がない場合、壁（第１の壁Ｗ１）及び床（Ｈは、床の表面である。）に接触しない位置にあり、壁（第１の壁Ｗ１）に巾木がある場合、前記巾木及び床（Ｈは、床の表面である。）に接触しない位置にあるため（図１６に示すように、第２の刃１２の先端１２Ｘは、第２の当接部２０に当接するシートＳと本体１の底面に当接するシートＳとを接続するシートＳのコーナーの部位ＳＲＲを超え、水平線Ｈより上方で、垂直線Ｚより本体１の側にある。）、床面のコーナーに立ち上がり部１００を有して載置されたシートＳに本体１の底面を当接すると共に、壁（第１の壁Ｗ１）に巾木がない場合、前記床面の壁（第１の壁Ｗ１）にシートＳを介して第２の当接部２０を当接しながら、壁（第１の壁Ｗ１）に巾木がある場合、前記巾木にシートＳを介して第２の当接部２０を当接しながら、前記コーナーの第１の方向（例えば、Ｙ方向に直交するＸ方向）に向かって第２の刃１２によって、シートＳの立ち上がり部１００を前記コーナーの第１の方向（例えば、Ｙ方向に直交するＸ方向）の隅部の部位まで切断でき、シートＳのコーナーの隅部の処理を容易にすることができる。
【００３７】
なお、上述の実施例では、立ち上がり部１００を切断［図１４（ａ）］した後、立ち上がり部２００を切断［図１４（ｂ）］したが、本願発明は、これに限らず、逆に、立ち上がり部２００を切断［図１４（ｂ）］した後、立ち上がり部１００を切断［図１４（ａ）］するようにしても良い。
即ち、第１の壁［図１４（ｃ）のＷ１］と第２の壁［図１４（ｃ）のＷ２］を有するコーナーに立ち上がり部１００、２００を有して載置されたシートＳにシート加工用カッターＣの本体１の底面を当接すると共に、第２の壁Ｗ２の下方に巾木がない場合、第２の壁Ｗ２に切断するシートＳを介して第１の当接部１０を当接しながら、第２の壁Ｗ２の下方に巾木がある場合、第２の壁Ｗ２の下方に位置する巾木（図示せず）に切断するシートＳを介して第１の当接部１０を当接しながら、第１の側面１Ａが第２の壁Ｗ２に、第２の側面１Ｂが第１の壁Ｗ１に、それぞれ対向し、前記コーナーに向かう第２の方向Ｙにシート加工用カッターＣの第１の刃１１を移動させて、第１の刃１１によって、シートＳの立ち上がり部２００を切断する［図１４（ｂ）参照］。
その後、第１の壁［図１４（ｃ）のＷ１］と第２の壁［図１４（ｃ）のＷ２］を有するコーナーに立ち上がり部１００を有して載置されたシートＳにシート加工用カッターＣの本体１の底面を当接すると共に、第１の壁Ｗ１の下方に巾木がない場合、第１の壁Ｗ１に切断するシートＳを介して第２の当接部２０を当接しながら、第１の壁Ｗ１の下方に巾木がある場合、第１の壁Ｗ１の下方に位置する巾木（図示せず）に切断するシートＳを介して第２の当接部２０を当接しながら、第２の側面１Ｂが第２の壁Ｗ２に、第３の側面１Ｃが第１の壁Ｗ１に、それぞれ対向し、前記コーナーに向かう第１の方向Ｘにシート加工用カッターＣの第２の刃１２を移動させて、第２の刃１２によって、シートＳの立ち上がり部１００を切断する［図１４（ａ）参照］。
【符号の説明】
【００３８】
Ｃ      シート加工用カッター
Ｓ１    シート
１      本体
【図１】
2018175128.tif 000003
【図２】
2018175128.tif 000004
【図３】
2018175128.tif 000005
【図４】
2018175128.tif 000006
【図５】
2018175128.tif 000007
【図６】
2018175128.tif 000008
【図７】
2018175128.tif 000009
【図８】
2018175128.tif 000010
【図９】
2018175128.tif 000011
【図１０】
2018175128.tif 000012
【図１１】
2018175128.tif 000013
【図１２】
2018175128.tif 000014
【図１３】
2018175128.tif 000015
【図１４】
2018175128.tif 000016
【図１５】
2018175128.tif 000017
【図１６】
2018175128.tif 000018
【手続補正書】
【提出日】平成29年9月27日(2017.9.27)
【手続補正１】
【補正対象書類名】特許請求の範囲
【補正対象項目名】全文
【補正方法】変更
【補正の内容】
【特許請求の範囲】
【請求項１】
床に載置されたシートを切断するシート加工用カッターであって、
平面視、時計回りに、第１の側面、第２の側面、第３の側面、第４の側面を有する本
体と、
前記第１の側面に設けられ、壁に巾木がない場合前記壁に、前記壁に巾木がある場合
、前記巾木に、切断する前記シートを介して当接する第１の当接部と、
前記第３の側面に設けられ、壁に巾木がない場合前記壁に、前記壁に巾木がある場合
、前記巾木に、切断する前記シートを介して当接する第２の当接部と、
前記本体の前記第１の側面と前記第２の側面を接続するコーナー近傍に取り付けられ
、前記シートへ向かって張り出す第１の刃と、
前記本体の前記第２の側面と前記第３の側面を接続するコーナー近傍に取り付けられ
、前記シートへ向かって張り出す第２の刃とを備え、
前記第１の当接部は、前記第１の側面に沿うように前記本体に設けられ、
前記第２の当接部は、前記第３の側面に沿うように前記本体に設けられ、
前記第１の側面及び前記第３の側面を横断する方向であって、前記第２の側面及び前
記第４の側面に平行に切断する方向の側断面視、前記第１の刃の先端は、前記第１の当接
部に当接する前記シートと前記本体の底面に当接する前記シートとを接続する前記シート
のコーナーの部位を超え、前記壁に巾木がない場合、前記壁及び前記床に接触しない位置
にあり、前記壁に巾木がある場合、前記巾木及び前記床に接触しない位置にあり、
前記第１の側面及び前記第３の側面を横断する方向であって、前記第２の側面及び前
記第４の側面に平行に切断する方向の側断面視、前記第２の刃の先端は、前記第２の当接
部に当接する前記シートと前記本体の底面に当接する前記シートとを接続する前記シート
のコーナーの部位を超え、前記壁に巾木がない場合、前記壁及び前記床に接触しない位置
にあり、前記壁に巾木がある場合、前記巾木及び前記床に接触しない位置にある
ことを特徴とするシート加工用カッター。
【請求項２】
請求項１記載のシート加工用カッターを備え、
第１の壁と第２の壁を有するコーナーに立ち上がり部１００、２００を有して載置さ
れたシートに前記シート加工用カッターの本体の底面を当接すると共に、前記第１の壁の
下方に巾木がない場合、前記第１の壁に切断する前記シートを介して第２の当接部を当接
しながら、前記第１の壁の下方に巾木がある場合、前記第１の壁の下方に位置する前記巾
木に切断する前記シートを介して前記第２の当接部を当接しながら、
第２の側面が前記第２の壁に、第３の側面が前記第１の壁に、それぞれ対向し、前記
コーナーに向かう第１の方向に前記シート加工用カッターの第２の刃を移動させて、前記
第２の刃によって、シートの立ち上がり部１００を切断し、
その後、前記シート加工用カッターの本体の底面を前記シートに当接すると共に、前
記第２の壁の下方に巾木がない場合、前記第２の壁に切断する前記シートを介して第１の
当接部を当接しながら、前記第２の壁の下方に巾木がある場合、前記第２の壁の下方に位
置する前記巾木に切断する前記シートを介して前記第１の当接部を当接しながら、
前記第２の側面が前記第１の壁に、前記第１の側面が前記第２の壁に、それぞれ対向
し、前記コーナーに向かう第２の方向に前記シート加工用カッターの第１の刃を移動させ
て、前記第１の刃によって、前記シートの立ち上がり部２００を切断するものであり、
前記第１の方向と前記第２の方向とは、直交する関係にあり、
前記第１の方向は、前記第２の壁に直交すると共に、前記第２の壁に近づく方向であ
り、
前記第２の方向は、前記第１の壁に直交すると共に、前記第１の壁に近づく方向であ
る
ことを特徴とするシートの加工方法。
【請求項３】
請求項１記載のシート加工用カッターを備え、
第１の壁と第２の壁を有するコーナーに立ち上がり部１００、２００を有して載置さ
れたシートに前記シート加工用カッターの本体の底面を当接すると共に、前記第２の壁の
下方に巾木がない場合、前記第２の壁に切断する前記シートを介して第１の当接部を当接
しながら、前記第２の壁の下方に巾木がある場合、前記第２の壁の下方に位置する前記巾
木に切断する前記シートを介して前記第１の当接部を当接しながら、
第２の側面が前記第１の壁に、第１の側面が前記第２の壁に、それぞれ対向し、前記
コーナーに向かう第２の方向に前記シート加工用カッターの第１の刃を移動させて、前記
第１の刃によって、前記シートの立ち上がり部２００を切断し、
その後、前記シート加工用カッターの本体の底面を前記シートに当接すると共に、前
記第１の壁の下方に巾木がない場合、前記第１の壁に切断する前記シートを介して第２の
当接部を当接しながら、前記第１の壁の下方に巾木がある場合、前記第１の壁の下方に位
置する前記巾木に切断する前記シートを介して前記第２の当接部を当接しながら、
第３の側面が前記第１の壁に、前記第２の側面が前記第２の壁に、それぞれ対向し、
前記コーナーに向かう第１の方向に前記シート加工用カッターの第２の刃を移動させて、
前記第２の刃によって、シートの立ち上がり部１００を切断するものであり、
前記第１の方向と前記第２の方向とは、直交する関係にあり、
前記第１の方向は、前記第２の壁に直交すると共に、前記第２の壁に近づく方向であ
り、
前記第２の方向は、前記第１の壁に直交すると共に、前記第１の壁に近づく方向であ
る
ことを特徴とするシートの加工方法。
【手続補正２】
【補正対象書類名】明細書
【補正対象項目名】０００５
【補正方法】削除
【補正の内容】
【手続補正３】
【補正対象書類名】明細書
【補正対象項目名】０００６
【補正方法】削除
【補正の内容】
【手続補正４】
【補正対象書類名】明細書
【補正対象項目名】０００７
【補正方法】削除
【補正の内容】
【手続補正５】
【補正対象書類名】明細書
【補正対象項目名】０００８
【補正方法】変更
【補正の内容】
【０００８】
請求項１記載のシート加工用カッターは、床に載置されたシートを切断するシ
ート加工用カッターであって、平面視、時計回りに、第１の側面、第２の側面、第３の側
面、第４の側面を有する本体と、前記第１の側面に設けられ、壁に巾木がない場合前記壁
に、前記壁に巾木がある場合、前記巾木に、切断する前記シートを介して当接する第１の
当接部と、前記第３の側面に設けられ、壁に巾木がない場合前記壁に、前記壁に巾木があ
る場合、前記巾木に、切断する前記シートを介して当接する第２の当接部と、前記本体の
前記第１の側面と前記第２の側面を接続するコーナー近傍に取り付けられ、前記シートへ
向かって張り出す第１の刃と、前記本体の前記第２の側面と前記第３の側面を接続するコ
ーナー近傍に取り付けられ、前記シートへ向かって張り出す第２の刃とを備え、前記第１
の当接部は、前記第１の側面に沿うように前記本体に設けられ、前記第２の当接部は、前
記第３の側面に沿うように前記本体に設けられ、前記第１の側面及び前記第３の側面を横
断する方向であって、前記第２の側面及び前記第４の側面に平行に切断する方向の側断面
視、前記第１の刃の先端は、前記第１の当接部に当接する前記シートと前記本体の底面に
当接する前記シートとを接続する前記シートのコーナーの部位を超え、前記壁に巾木がな
い場合、前記壁及び前記床に接触しない位置にあり、前記壁に巾木がある場合、前記巾木
及び前記床に接触しない位置にあり、前記第１の側面及び前記第３の側面を横断する方向
であって、前記第２の側面及び前記第４の側面に平行に切断する方向の側断面視、前記第
２の刃の先端は、前記第２の当接部に当接する前記シートと前記本体の底面に当接する前
記シートとを接続する前記シートのコーナーの部位を超え、前記壁に巾木がない場合、前
記壁及び前記床に接触しない位置にあり、前記壁に巾木がある場合、前記巾木及び前記床
に接触しない位置にある。
【手続補正６】
【補正対象書類名】明細書
【補正対象項目名】０００９
【補正方法】変更
【補正の内容】
【０００９】
また、請求項２記載のシートの加工方法は、請求項１記載のシート加工用カッターを
備え、第１の壁と第２の壁を有するコーナーに立ち上がり部１００、２００を有して載置
されたシートに前記シート加工用カッターの本体の底面を当接すると共に、前記第１の壁
の下方に巾木がない場合、前記第１の壁に切断する前記シートを介して第２の当接部を当
接しながら、前記第１の壁の下方に巾木がある場合、前記第１の壁の下方に位置する前記
巾木に切断する前記シートを介して前記第２の当接部を当接しながら、第２の側面が前記
第２の壁に、第３の側面が前記第１の壁に、それぞれ対向し、前記コーナーに向かう第１
の方向に前記シート加工用カッターの第２の刃を移動させて、前記第２の刃によって、シ
ートの立ち上がり部１００を切断し、その後、前記シート加工用カッターの本体の底面を
前記シートに当接すると共に、前記第２の壁の下方に巾木がない場合、前記第２の壁に切
断する前記シートを介して第１の当接部を当接しながら、前記第２の壁の下方に巾木があ
る場合、前記第２の壁の下方に位置する前記巾木に切断する前記シートを介して前記第１
の当接部を当接しながら、前記第２の側面が前記第１の壁に、前記第１の側面が前記第２
の壁に、それぞれ対向し、前記コーナーに向かう第２の方向に前記シート加工用カッター
の第１の刃を移動させて、前記第１の刃によって、前記シートの立ち上がり部２００を切
断するものであり、前記第１の方向と前記第２の方向とは、直交する関係にあり、前記第
１の方向は、前記第２の壁に直交すると共に、前記第２の壁に近づく方向であり、前記第
２の方向は、前記第１の壁に直交すると共に、前記第１の壁に近づく方向である。
【手続補正７】
【補正対象書類名】明細書
【補正対象項目名】００１０
【補正方法】変更
【補正の内容】
【００１０】
また、請求項３記載のシートの加工方法は、請求項１記載のシート加工用カッターを
備え、第１の壁と第２の壁を有するコーナーに立ち上がり部１００、２００を有して載置
されたシートに前記シート加工用カッターの本体の底面を当接すると共に、前記第２の壁
の下方に巾木がない場合、前記第２の壁に切断する前記シートを介して第１の当接部を当
接しながら、前記第２の壁の下方に巾木がある場合、前記第２の壁の下方に位置する前記
巾木に切断する前記シートを介して前記第１の当接部を当接しながら、第２の側面が前記
第１の壁に、第１の側面が前記第２の壁に、それぞれ対向し、前記コーナーに向かう第２
の方向に前記シート加工用カッターの第１の刃を移動させて、前記第１の刃によって、前
記シートの立ち上がり部２００を切断し、その後、前記シート加工用カッターの本体の底
面を前記シートに当接すると共に、前記第１の壁の下方に巾木がない場合、前記第１の壁
に切断する前記シートを介して第２の当接部を当接しながら、前記第１の壁の下方に巾木
がある場合、前記第１の壁の下方に位置する前記巾木に切断する前記シートを介して前記
第２の当接部を当接しながら、第３の側面が前記第１の壁に、前記第２の側面が前記第２
の壁に、それぞれ対向し、前記コーナーに向かう第１の方向に前記シート加工用カッター
の第２の刃を移動させて、前記第２の刃によって、シートの立ち上がり部１００を切断す
るものであり、前記第１の方向と前記第２の方向とは、直交する関係にあり、前記第１の
方向は、前記第２の壁に直交すると共に、前記第２の壁に近づく方向であり、前記第２の
方向は、前記第１の壁に直交すると共に、前記第１の壁に近づく方向である。
【手続補正８】
【補正対象書類名】明細書
【補正対象項目名】００１１
【補正方法】削除
【補正の内容】
【手続補正９】
【補正対象書類名】明細書
【補正対象項目名】００１２
【補正方法】削除
【補正の内容】
【手続補正１０】
【補正対象書類名】明細書
【補正対象項目名】００１３
【補正方法】削除
【補正の内容】
【手続補正１１】
【補正対象書類名】明細書
【補正対象項目名】００１４
【補正方法】変更
【補正の内容】
【００１４】
請求項１記載のシート加工用カッターによれば、第１の刃は、本体の第１の側
面と第２の側面を接続するコーナー近傍に取り付けられ、第１の刃の先端は、第１の当接
部に当接するシートと前記本体の底面に当接する前記シートとを接続する前記シートのコ
ーナーの部位を超え、壁（第２の壁Ｗ２）に巾木がない場合、壁（第２の壁Ｗ２）及び床
に接触しない位置にあり、壁（第２の壁Ｗ２）に巾木がある場合、前記巾木及び床に接触
しない位置にあるため、床面のコーナーに立ち上がり部２００を有して載置されたシート
に本体の底面を当接すると共に、壁（第２の壁Ｗ２）に巾木がない場合、前記床面の壁に
シートを介して第１の当接部を当接しながら、壁（第２の壁Ｗ２）に巾木がある場合、前
記巾木にシートを介して第１の当接部を当接しながら、前記コーナーの第２の方向（例え
ば、Ｙ方向）に向かって前記第１の刃によって、シートの前記立ち上がり部２００を前記
コーナーの第２の方向（例えば、Ｙ方向）の隅部の部位まで切断でき、
また、第２の刃は、本体の第２の側面と第３の側面を接続するコーナー近傍に取り付
けられ、第２の刃の先端は、前記第２の当接部に当接する前記シートと前記本体の底面に
当接する前記シートとを接続する前記シートのコーナーの部位を超え、壁（第１の壁Ｗ１
）に巾木がない場合、壁（第１の壁Ｗ１）及び床に接触しない位置にあり、壁（第１の壁
Ｗ１）に巾木がある場合、前記巾木及び床に接触しない位置にあるため、床面のコーナー
に立ち上がり部１００を有して載置されたシートに本体の底面を当接すると共に、壁（第
１の壁Ｗ１）に巾木がない場合、前記床面の壁（第１の壁Ｗ１）にシートを介して第２の
当接部を当接しながら、壁（第１の壁Ｗ１）に巾木がある場合、前記巾木にシートを介し
て第２の当接部を当接しながら、前記コーナーの第１の方向（例えば、Ｙ方向に直交する
Ｘ方向）に向かって前記第２の刃によって、シートの前記立ち上がり部１００を前記コー
ナーの第１の方向（例えば、Ｙ方向に直交するＸ方向）の隅部の部位まで切断でき、
シートのコーナーの隅部の処理を容易にすることができる。
【手続補正１２】
【補正対象書類名】明細書
【補正対象項目名】００１５
【補正方法】変更
【補正の内容】
【００１５】
また、請求項２記載のシートの加工方法によれば、第１の刃は、本体の第１の側面と
第２の側面を接続するコーナー近傍に取り付けられ、第１の刃の先端は、第１の当接部に
当接するシートと前記本体の底面に当接する前記シートとを接続する前記シートのコーナ
ーの部位を超え、壁（第２の壁Ｗ２）に巾木がない場合、壁（第２の壁Ｗ２）及び床に接
触しない位置にあり、壁（第２の壁Ｗ２）に巾木がある場合、前記巾木及び床に接触しな
い位置にあるため、床面のコーナーに立ち上がり部２００を有して載置されたシートに本
体の底面を当接すると共に、壁（第２の壁Ｗ２）に巾木がない場合、前記床面の壁にシー
トを介して第１の当接部を当接しながら、壁（第２の壁Ｗ２）に巾木がある場合、前記巾
木にシートを介して第１の当接部を当接しながら、前記コーナーの第２の方向（例えば、
Ｙ方向）に向かって前記第１の刃によって、シートの前記立ち上がり部２００を前記コー
ナーの第２の方向（例えば、Ｙ方向）の隅部の部位まで切断でき、
また、第２の刃は、本体の第２の側面と第３の側面を接続するコーナー近傍に取り付
けられ、第２の刃の先端は、前記第２の当接部に当接する前記シートと前記本体の底面に
当接する前記シートとを接続する前記シートのコーナーの部位を超え、壁（第１の壁Ｗ１
）に巾木がない場合、壁（第１の壁Ｗ１）及び床に接触しない位置にあり、壁（第１の壁
Ｗ１）に巾木がある場合、前記巾木及び床に接触しない位置にあるため、床面のコーナー
に立ち上がり部１００を有して載置されたシートに本体の底面を当接すると共に、壁（第
１の壁Ｗ１）に巾木がない場合、前記床面の壁にシートを介して第２の当接部を当接しな
がら、壁（第１の壁Ｗ１）に巾木がある場合、前記巾木にシートを介して第２の当接部を
当接しながら、前記コーナーの第１の方向（例えば、Ｙ方向に直交するＸ方向）に向かっ
て前記第２の刃によって、シートの前記立ち上がり部１００を前記コーナーの第１の方向
（例えば、Ｙ方向に直交するＸ方向）の隅部の部位まで切断でき、
シートのコーナーの隅部の処理を容易にすることができる。
【手続補正１３】
【補正対象書類名】明細書
【補正対象項目名】００１６
【補正方法】変更
【補正の内容】
【００１６】
また、請求項３記載のシートの加工方法によれば、第１の刃は、本体の第１の側面と
第２の側面を接続するコーナー近傍に取り付けられ、第１の刃の先端は、第１の当接部に
当接するシートと前記本体の底面に当接する前記シートとを接続する前記シートのコーナ
ーの部位を超え、壁（第２の壁Ｗ２）に巾木がない場合、壁（第２の壁Ｗ２）及び床に接
触しない位置にあり、壁（第２の壁Ｗ２）に巾木がある場合、前記巾木及び床に接触しな
い位置にあるため、床面のコーナーに立ち上がり部２００を有して載置されたシートに本
体の底面を当接すると共に、壁（第２の壁Ｗ２）に巾木がない場合、前記床面の壁にシー
トを介して第１の当接部を当接しながら、壁（第２の壁Ｗ２）に巾木がある場合、前記巾
木にシートを介して第１の当接部を当接しながら、前記コーナーの第２の方向（例えば、
Ｙ方向）に向かって前記第１の刃によって、シートの前記立ち上がり部２００を前記コー
ナーの第２の方向（例えば、Ｙ方向）の隅部の部位まで切断でき、
また、第２の刃は、本体の第２の側面と第３の側面を接続するコーナー近傍に取り付
けられ、第２の刃の先端は、前記第２の当接部に当接する前記シートと前記本体の底面に
当接する前記シートとを接続する前記シートのコーナーの部位を超え、壁（第１の壁Ｗ１
）に巾木がない場合、壁（第１の壁Ｗ１）及び床に接触しない位置にあり、壁（第１の壁
Ｗ１）に巾木がある場合、前記巾木及び床に接触しない位置にあるため、床面のコーナー
に立ち上がり部１００を有して載置されたシートに本体の底面を当接すると共に、壁（第
１の壁Ｗ１）に巾木がない場合、前記床面の壁にシートを介して第２の当接部を当接しな
がら、壁（第１の壁Ｗ１）に巾木がある場合、前記巾木にシートを介して第２の当接部を
当接しながら、前記コーナーの第１の方向（例えば、Ｙ方向に直交するＸ方向）に向かっ
て前記第２の刃によって、シートの前記立ち上がり部１００を前記コーナーの第１の方向
（例えば、Ｙ方向に直交するＸ方向）の隅部の部位まで切断でき、
シートのコーナーの隅部の処理を容易にすることができる。